(57)【要約】【課題】  箸または箸袋において、箸袋の箸置きとしての利用の容易化を図る。【解決手段】  箸袋１０は、箸ＣＳの少なくとも一部を所定の方向に収納する収納部１１０を備え、収納部１１０は、紙を扁平に張り合わせて形成され、収納部１１０の外縁部１２０，１３０を、箸ＣＳの収納方向に沿って折り曲げた。【選択図】  図１
2005289394.tif 000002
【特許請求の範囲】
【請求項１】
箸を収納する箸袋であって、
前記箸の少なくとも一部を所定の方向に収納する収納部を備え、
前記収納部は、折り曲げ可能なシート状部材を扁平に張り合わせて形成され、
前記収納部の外縁部の少なくとも一部を、前記箸の収納方向にほぼ沿って折り曲げた
箸袋。
【請求項２】
前記外縁部を折り曲げた状態で、前記収納部に前記箸を収納可能である請求項１記載の箸袋。
【請求項３】
前記収納部または前記折り曲げられた外縁部に前記箸が置かれた場合に、前記箸と該箸が配膳される面との間に箸置きとしての空間を形成する請求項１または２記載の箸袋。
【請求項４】
請求項１ないし３のいずれか記載の箸袋であって、
前記折り曲げられた外縁部は、前記収納部の前記収納方向に沿った両側の外縁部であり、
該両側の外縁部は共に、前記扁平に張り合わされた部材の一方の面側に前記折り曲げられた
箸袋。
【請求項５】
前記外縁部の折り曲げ角度は、９０度未満である請求項１ないし４のいずれか記載の箸袋。
【請求項６】
積み重ね可能な請求項１ないし５のいずれか記載の箸袋。
【請求項７】
前記シート状部材の材質は、紙，合成樹脂，革または竹の皮である請求項１ないし６のいずれか記載の箸袋。
【請求項８】
箸袋に収納された箸であって、
前記箸袋は、
前記箸の少なくとも一部を所定の方向に収納する収納部を備え、
前記収納部は、折り曲げ可能なシート状部材を扁平に張り合わせて形成され、
前記収納部の外縁部の少なくとも一部を、前記箸の収納方向にほぼ沿って折り曲げた
箸。
【発明の詳細な説明】
【技術分野】
【０００１】
本発明は、箸袋を備えた箸、および箸を収納する箸袋に関する。
【背景技術】
【０００２】
従来、箸袋には、箸置きとしても利用可能なものがあった。このような箸袋は、箸袋として使用された後、その形状を変形させることによって箸置きとして利用される。下記特許文献には、箸置きとしても利用可能な箸袋が開示されている。
【０００３】
【特許文献１】特開２００１−１９０７２号公報
【発明の開示】
【発明が解決しようとする課題】
【０００４】
しかしながら、従来の箸袋は、箸置きとして利用するには、その形状を変形させる必要があり、箸置きとしての利用に煩わしさがあった。
【０００５】
本発明は、上記した課題を踏まえ、箸または箸袋において、箸袋の箸置きとしての利用の容易化を図ることを目的とする。
【課題を解決するための手段】
【０００６】
上記した課題を解決するため、本発明の箸袋は、箸を収納する箸袋であって、前記箸の少なくとも一部を所定の方向に収納する収納部を備え、前記収納部は、折り曲げ可能なシート状部材を扁平に張り合わせて形成され、前記収納部の外縁部の少なくとも一部を、前記箸の収納方向にほぼ沿って折り曲げたことを特徴とする。本発明の箸袋は、前記外縁部を折り曲げた状態で、前記収納部に前記箸を収納可能であり、また、前記収納部または前記折り曲げられた外縁部に前記箸が置かれた場合に、前記箸と該箸が配膳される面との間に箸置きとしての空間を形成する。本発明の箸袋によれば、その形状を変形させることなく箸置きとして利用することができる。
【０００７】
上記した課題を解決するため、本発明の箸は、箸袋に収納された箸であって、前記箸袋は、前記箸の少なくとも一部を所定の方向に収納する収納部を備え、前記収納部は、折り曲げ可能なシート状部材を扁平に張り合わせて形成され、前記収納部の外縁部の少なくとも一部を、前記箸の収納方向にほぼ沿って折り曲げたことを特徴とする。本発明の箸が備える箸袋は、前記収納部または前記折り曲げられた外縁部に当該箸が置かれた場合に、当該箸と該箸が配膳される面との間に箸置きとしての空間を形成する。本発明の箸によれば、箸袋の形状を変形させることなく、箸袋を箸置きとして利用することができる。
【０００８】
上記の構成を有する本発明の箸袋または箸は、以下の態様を採ることもできる。前記折り曲げられた外縁部は、前記収納部の前記収納方向に沿った両側の外縁部であり、該両側の外縁部は共に、前記扁平に張り合わされた部材の一方の面側に前記折り曲げられたこととしても良い。
【０００９】
また、前記外縁部の折り曲げ角度は、９０度未満であることとしても良い。これによって、箸袋または箸を積み重ねることが可能となり、保管場所の省スペース化を図ることができる。また、前記シート状部材の材質は、紙，合成樹脂，革または竹の皮であることとしても良い。また、箸袋の収納方向の全長は、箸の３分の１程度の長さが適する。
【発明を実施するための最良の形態】
【００１０】
以上説明した本発明の構成および作用を一層明らかにするために、以下本発明を適用した箸袋について説明する。
【００１１】
Ａ．第１の実施例：
Ａ−（１）．箸袋１０の構造：
本発明の実施例の１つである箸袋１０の構成について説明する。図１は、箸ＣＳが収納された箸袋１０の外観を示す全体斜視図である。図２は、箸ＣＳが置かれた箸袋１０の外観を示す全体斜視図である。箸袋１０は、箸ＣＳの少なくとも一部を所定の方向に収納する収納部１１０を備える。収納部１１０は、折り曲げ可能なシート状部材である紙を扁平に貼り合わせて形成され、張り合わされた紙のうちの一方に切り欠きが施された開口部１１５を有する長方形状の袋とされている。開口部１１５は、開口部１１５から一方向に箸ＣＳを収納する。
【００１２】
収納部１１０の箸ＣＳの収納方向に沿った両側の長方形状の外縁部１２０，１３０は共に、箸袋１０の裏面側に、箸ＣＳの収納方向に沿って折り曲げられている。外縁部１２０，１３０の折り曲げ角度θは、９０度未満で、ほぼ直角に折り曲げられており、積み重ね可能な形状とされている。なお、箸ＣＳを収納した状態であっても、この箸袋１０は積み重ね可能である。
【００１３】
箸袋１０の箸ＣＳの収納方向の全長Ｌは、本実施例では、箸ＣＳの３分の１程度の長さである。箸袋１０の幅Ｗは、ほぼ収納部１１０の幅に等しく、箸ＣＳの幅よりも余裕を持った幅である。箸袋１０の高さＨは、ほぼ外縁部１２０，１３０の幅に等しく、収納部１１０の幅の半分程度である。本実施例では、箸袋１０の全長Ｌを約６５ミリメートル（以下、ｍｍと表記する）とし、その幅Ｗを約２０ｍｍとし、その高さＨを約８ｍｍとした。
【００１４】
図１に示すように、箸袋１０は、外縁部１２０，１３０を折り曲げた状態で、収納部１１０に箸ＣＳを収納する。一方、図２に示すように、箸袋１０は、収納部１１０に箸ＣＳが置かれた場合には、箸ＣＳとその配膳面との間に箸置きとしての空間を形成する。
【００１５】
Ａ−（２）．箸袋１０の製造工程
箸袋１０の製造方法について説明する。図３は、箸袋１０の展開図である。図４は、箸袋１０の製造工程を示す説明図である。箸袋１０を製造する際には、始めに、所定の大きさの紙を用意する（工程Ｓ１１０）。
【００１６】
その後、用意された紙を、図３に示す所定の形状に成形する（工程Ｓ１１０）。この工程では、用意された紙を、長方形状に成形し、開口部１１５を構成する切り欠きを形成する。成形された長方形の長辺は、完成された箸袋１０の全長の２倍の長さであり、その短辺は、収納部１１０と外縁部１２０，１３０との幅を足した長さである。この長方形の一方の短辺の中程には、開口部１１５を構成する台形状の切り欠きが形成される。
【００１７】
成形された紙は、収納部１１０を構成する部分１１０ａ，１１０ｂと、外縁部１２０を構成する部分１２０ａ，１２０ｂと、外縁部１３０を構成する部分１３０ａ，１３０ｂとを有する。部分１１０ａ，１２０ａ，１３０ａは、成形された紙における長方形を長辺方向に二分した一方の側を構成し、部分１１０ａ，１２０ａ，１３０ａは、その他方の側を構成する。
【００１８】
紙を成形した後（工程Ｓ１２０）、収納部１１０を形成する（工程Ｓ１３０）。この工程では、図３にハッチングで示した糊付け部ＯＷに糊を塗布する。糊付け部ＯＷは、部分１２０ａ，１２０ｂ，１３０ａ，１３０ｂの全面と、これらの部分と接する付近の部分１１０ａ，１１０ｂの面とに設けられている。
【００１９】
糊付け部ＯＷに糊を塗布した後、図３に示す長方形を長辺方向に二分する折り曲げ部ＣＬｃに沿って折り曲げて、部分１１０ａおよび部分１１０ｂと、部分１２０ａおよび部分１２０ｂと、部分１３０ａおよび部分１２０ｂとをそれぞれ貼り合わせる。これによって、部分１１０ａ，１１０ｂによって収納部１１０が構成され、部分１２０ａ，１２０ｂによって外縁部１２０が構成され、部分１３０ａ，１３０ｂによって外縁部１３０が構成される。
【００２０】
収納部１１０を形成した後（工程Ｓ１３０）、外縁部１２０，１３０を折り曲げる（工程Ｓ１４０）。この工程では、外縁部１２０を、収納部１１０と外縁部１２０との境界である図３に示す折り曲げ部ＣＬｌａ，ＣＬｌｂに沿って、部分１１０ｂ側に折り曲げる。外縁部１３０を、収納部１１０と外縁部１３０との境界である図３に示す折り曲げ部ＣＬｒａ，ＣＬｒｂに沿って、部分１１０ｂ側に折り曲げる。外縁部１２０，１３０を折り曲げることによって（工程Ｓ１４０）、箸袋１０が完成する。
【００２１】
以上説明した本発明の箸袋１０によれば、その形状を変形させることなく箸置きとして利用することができる。また、積み重ねることが可能であるため、保管場所の省スペース化を図ることができる。
【００２２】
また、箸袋１０に箸ＣＳを収納する作業の容易化を図ることができる。例えば、箸袋１０に箸ＣＳを収納する際には、作業者は、一方の手で、収納部１１０の底面に中指の腹を添えると共に、その中指と、人差し指および薬指との間に外縁部１２０，１３０をそれぞれ挟むことによって箸袋１０を固定した後、他方の手で、箸ＣＳの先端を部分１１０ｂの開口部１１５付近に押し当てつつ、箸ＣＳを収納部１１０に挿入することによって、収納作業を容易に行うことができる。
【００２３】
Ｂ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。
【００２４】
例えば、外縁部の折り曲げ位置は、箸ＣＳの収納方向に完全に沿う必要はなく、斜め方向に折り曲げることとしても良い。図５は、第２の実施例の箸袋２０の外観を示す全体斜視図である。箸袋２０の構成および製造工程は、外縁部の折り曲げ部の位置が異なる点を除き、第１の実施例の箸袋１０と同様である。箸袋２０では、外縁部２２０，２３０の幅が箸ＣＳの収納方向に向かって徐々に増加するように、外縁部２２０，２３０が折り曲げられている。すなわち、箸袋２０の開口部２１５側の一端の高さＨ２と、その他端の高さＨ１との関係は、「高さＨ１＞高さＨ２」である。一方、箸袋２０の開口部２１５側の一端の幅Ｗ２と、その他端の幅Ｗ１との関係は、「幅Ｗ１＜幅Ｗ２」である。第２の実施例の箸袋２０によっても、第１の実施例の箸袋１０と同様の効果を得ることができる。また、逆に、外縁部２２０，２３０の幅が箸ＣＳの収納方向に向かって徐々に減少するように、外縁部２２０，２３０が折り曲げられていることとしても良い。
【００２５】
また、収納部における両側の外縁部を共に折り曲げる必要はなく、一方の外縁部を折り曲げることとしても良い。図６は、第３の実施例の箸袋３０の外観を示す全体斜視図である。箸袋３０の構成および製造工程は、一方の外縁部を折り曲げた点を除き、第１の実施例の箸袋１０とほぼ同様である。箸袋３０の収納部３１０は、箸袋１０の外縁部１２０に相当する部分を有さず、一方の外縁部３３０のみが折り曲げられている。第３の実施例の箸袋３０によっても、第１の実施例の箸袋１０と同様の効果を得ることができる。
【００２６】
また、収納部における両側の外縁部を共に同じ側に折り曲げる必要はなく、互いに逆の側へ折り曲げることとしても良い。図７は、第４の実施例の箸袋４０の外観を示す全体斜視図である。箸袋４０の構成および製造工程は、両側の外縁部を互いに逆の側へ折り曲げた点を除き、第１の実施例の箸袋１０と同様である。箸袋４０の一方の外縁部４２０は、箸袋４０の上面側に折り曲げられ、他方の外縁部４３０は、箸袋４０の底面側に折り曲げられている。第４の実施例の箸袋４０によっても、第１の実施例の箸袋１０と同様の効果を得ることができる。
【００２７】
また、箸袋の材質は、紙に限るものではなく、合成樹脂または革，竹の皮などの折り曲げ可能なシート状部材であれば良い。また、箸袋に収納される箸は、割り箸であっても良い。また、外縁部の形状は、長方形に限るものではなく、その一部分を切り欠いた形状としても良い。また、箸袋には、種々の図柄や文字を描いても良く、花や魚などの形状に成形された紙を貼り付ける等して種々の装飾を施しても良い。
【図面の簡単な説明】
【００２８】
【図１】箸ＣＳが収納された箸袋１０の外観を示す全体斜視図である。
【図２】箸ＣＳが置かれた箸袋１０の外観を示す全体斜視図である。
【図３】箸袋１０の展開図である。
【図４】箸袋１０の製造工程を示す説明図である。
【図５】第２の実施例の箸袋２０の外観を示す全体斜視図である。
【図６】第３の実施例の箸袋３０の外観を示す全体斜視図である。
【図７】第４の実施例の箸袋４０の外観を示す全体斜視図である。
【符号の説明】
【００２９】
１０，２０，３０，４０...箸袋
１１０...収納部
１１０ａ，１１０ｂ...部分
１１５...開口部
１２０，１３０...外縁部
１２０ａ，１２０ｂ，１３０ａ，１３０ｂ...部分
２１０，３１０，４１０...収納部
２２０，２３０，３３０，４２０，４３０...外縁部
ＣＬｃ，ＣＬｌａ，ＣＬｒａ...折り曲げ部
ＯＷ...糊付け部
ＣＳ...箸
【図１】
2005289394.tif 000003
【図２】
2005289394.tif 000004
【図３】
2005289394.tif 000005
【図４】
2005289394.tif 000006
【図５】
2005289394.tif 000007
【図６】
2005289394.tif 000008
【図７】
2005289394.tif 000009